(57)【要約】【課題】衣類管理の際に、衣類のボタンの意匠性を損ねることなく、クリーニングにも耐えられるボタン裏留め部品を提供する。【解決手段】衣類などの管理対象物の識別情報が記憶された電子部品が内蔵され、それらを耐衝撃性および耐熱性および柔軟性あるいは伸縮性を有する素材で封止し、情報読み書き手段を用いてそれらの情報を読み書きすることによって当該対象管理物の情報管理を行うことができる部品を、衣類をはさんでボタンの裏側にボタンを固定するように取り付けることによって、衣類のボタンの意匠性を損ねることなく、クリーニングにも耐えられるボタン裏留め部品を提供することを可能にする。【選択図】  図１
2004329822.tif 000002
【特許請求の範囲】
【請求項１】
管理対象物の表面に取り付けられたボタンを裏側から固定するためのボタン裏留め部品であり、
当該部品は管理対象物の識別情報が記憶された電子部品が内蔵され、情報読み書き手段を用いてそれらの情報を読み書きすることによって当該対象管理物の情報管理を行うことができることを特徴としたボタン裏留め部品。
【請求項２】
情報読み取り手段を用いて非接触で前記識別情報を読み取り、その情報を情報格納装置で管理することにより、対象物の管理もしくは盗難防止もしくは偽造防止に利用することができ、アンテナコイル及びメモリーが搭載された電子部品が内蔵されたＲＦＩＤタグであることを特徴とする請求項１記載のボタン裏留め部品。
【請求項３】
前記アンテナコイル及びメモリーが搭載された電子部品が耐衝撃性および耐熱性および柔軟性あるいは伸縮性を有する素材で封止されていることを特徴とした請求項１記載のボタン裏留め部品。
【請求項４】
外周縁部に凹状の突端部が設けられている円盤状のボタン裏留め部品であり、
前記管理対象物の表面に取り付けられたボタンの裏側にボタンとは糸を通じて接続された補強用ボタンに当該突端部をひっかけて補強用ボタンの外周縁部および外面全体を覆うことができることを特徴とした請求項１記載のボタン裏留め部品。
【請求項５】
表面に突起部が設けられている円盤状のボタン裏留め部品であり、
前記管理対象物の裏側に出たくるみ状ボタンの糸通し部分に引っ掛けて固定させることを特徴とした請求項１記載のボタン裏留め部品。
【請求項６】
外周の任意の場所から中心点まで伸びたスリットを有する円盤状のボタン裏留め部品であり、
前記管理対象物の裏側に突出したボタンに付属している突起部に、当該スリットを引っ掛けて固定させることを特徴とした請求項１記載のボタン裏留め部品。
【請求項７】
表面にネジ留めが設けられている円盤状のボタン裏留め部品であり、
前記管理対象物の裏側に突出したボタンに付属しているネジ部分に、当該ネジ留めを回して固定させることを特徴とした請求項１記載のボタン裏留め部品。
【発明の詳細な説明】
【０００１】
【発明の属する技術分野】
クリーニングにおける衣類管理・盗難防止・偽造防止として利用される管理情報を内蔵したボタン裏留め部品に関する。
【０００２】
【従来の技術】
クリーニングにおける衣類管理に使用されている部品はボタンの形状をしており、直接衣類に糸を用いて縫い付けられるものがほとんどである。代表的な形状としては、円盤状のボタン中心部に縫い付け用の糸通し穴として四つ穴が設けられているものや、くるみ状のボタン裏面に縫い付け用の糸通し穴が突起しているものがあげられる。
【０００３】
いずれの形状にせよ、衣類の表面に取り付けられるボタンそのものにアンテナコイルや電子部品が内蔵されており、それ自体が衣類の表面に縫い付けられ、そこに格納されているデータを読み取り器で読み取ることによって、衣類に関するデータ管理が行われている。
【０００４】
【発明が解決しようとする課題】
しかしながら、部品が衣類の表面に突出していることにより、衣類の運搬時やクリーニング作業時に、部品が傷つけられ、もしくは衝撃により部品内部のアンテナコイルや電子部品にダメージが加えられた場合に部品が機能しなくなる可能性がある。
【０００５】
また、衣類管理に使用されている部品を衣類の表面にボタンとして縫い付けた場合、衣類のボタンの意匠性を損ねてしまう恐れがある。逆に、衣類のデザインとのマッチングを考慮すれば様々な種類のボタン形状の部品を作成しなければならない。
【０００６】
本発明はこのような事情に鑑みてなされたものであり、衣類管理の際に、衣類のボタンの意匠性を損ねることなく、クリーニングにも耐えられるボタン裏留め部品を提供することを目的としている。
【０００７】
【課題を解決するための手段】
かかる目的を達成するため本発明では、衣類などの管理対象物の識別情報が記憶された電子部品が内蔵され、それらを耐衝撃性および耐熱性および柔軟性あるいは伸縮性を有する素材で封止し、情報読み書き手段を用いてそれらの情報を読み書きすることによって当該対象管理物の情報管理を行うことができる部品を、衣類をはさんでボタンの裏側にボタンを固定するように取り付けることによって、衣類のボタンの意匠性を損ねることなく、クリーニングにも耐えられるボタン裏留め部品を提供することを可能にする。
【０００８】
【発明の実施の形態】
（実施例１）
以下、図面を参照して本発明の実施の形態について説明する。図１は、本発明の一実施形態におけるボタン裏留め部品の取り付け方法を示す見取図である。衣類表側に縫い止められるボタン３は、図のように四つ穴である場合の他に、二つ穴が想定される。また、補強用ボタン２も、ボタン３の形状に伴って、四つ穴と二つ穴の場合が想定される。
【０００９】
衣類の生地４の表側にボタン３と、生地をはさんだ裏側に補強用ボタン２がそれぞれ予め縫い付けられている。そこへ補強用ボタン２の生地と密着した反対側から、補強用ボタン２に覆い被さるようにボタン裏留め部品１の凹状の窪み部分を密着させることによって、固定させる。
【００１０】
さらに、図２は本発明のボタン裏留め部品が衣類に取り付けられている様子を示す断面図である。ボタン裏留め部品１の封止材は柔軟性あるいは伸縮性がある素材である。従って、アンテナコイル５及び電子部品６が封止材を通じて補強用ボタン２に重なって取り付けられるが、密着による圧力は封止材に吸収される為、衝撃によって壊れる可能性は少ない。
【００１１】
また、補強用ボタン２に重ねて取り付けられたボタン裏留め部品１は、その外周縁部に予め設けられている突端部を補強用ボタン２と衣類の生地４の間に挟み込むようにしてひっかけることで、補強用ボタン２に固定される。従って、衣類の運搬時やクリーニング作業時にも剥がれる可能性は少ない。さらに突端部は伸縮するため、突端部を手で引き伸ばして補強用ボタン２からボタン裏留め部品１をはずすことができる。従って、突端部を伸縮させることによって、ボタン裏留め部品１は着脱自在となる。
【００１２】
（実施例２）
ところで、以上ではワイシャツなどに多用されている円盤状の二つ穴及び四つ穴のボタンの場合について述べたが、制服やジャケットに使用されるくるみ状のボタンの場合について図３を用いて以下に述べる。
【００１３】
くるみ状のボタン３は裏面に糸通し用の逆半円部がついており、その逆半円部を予め穴を開けた生地４に通しておく。一方、生地４の裏側から開閉が可能な引っ掛け部分８を持ったボタン裏留め部品１を設置する。引っ掛け部８をボタン３の逆半円部に引っ掛けるようにして留めることで、糸を用いずにボタン３を生地４に密着させることができる。従って、図２の円盤状ボタンの場合と同様に、衣類の運搬時やクリーニング作業時にも剥がれる可能性は少ない。さらに引っ掛け部は開閉するため、引っ掛け部を手で引き伸ばしてボタン３の逆半円部からボタン裏留め部品１をはずすことができる。
【００１４】
（実施例３）
また、上記のようなくるみ状のボタンにおいては、図４のような裏留めの方法も想定される。くるみ状のボタン３は裏面にその先端が円頭状になっている突起部９が付いており、その突起部を予め穴を開けた生地４に通しておく。一方、外周の任意の場所から中心点まで伸びたスリット１ａを有する円盤状のボタン裏留め部品１を生地４の裏側に設置する。スリット１ａを指で開き、それをボタンの突起部９にかませるようにして留めることで、糸を用いずにボタン３を生地４に密着させることができる。従って、衣類の運搬時やクリーニング作業時にも剥がれる可能性は少ない。さらにスリット１ａは開閉するため、スリット１ａを手で引き伸ばしてボタン３の突起部９からボタン裏留め部品１をはずすことができる。
【００１５】
（実施例４）
上記と同様にして、くるみ状のボタンの裏側にネジ状の突起部が付いている場合は、ボタン裏留め部品に予めボタン側のネジに対応するネジ留めを付けておき、それを指で回転させることによってボタンとボタン裏留め部品を固定させることができる。
【発明の効果】
以上説明したように本発明によって、衣類の裏側に衣類の管理情報を内蔵したボタン裏留め部品が取り付けられることによって、衣類のボタンの持つ意匠性を損なわず、衣類の運搬やクリーニング時に受ける衝撃や高温にも耐えられるボタン裏留め部品を提供することができる。
【図面の簡単な説明】
【図１】本発明の一形態であるボタン裏留め部品の取り付け方法を示す見取図である。
【図２】本発明の一形態であるボタン裏留め部品の取り付け方法を示す断面図である。
【図３】本発明の一形態であるボタン裏留め部品の取り付け方法を示す断面図である。
【図４】本発明の一形態であるボタン裏留め部品の取り付け方法を示す見取図である。
【符号の説明】
１  ボタン裏留め部品
２  補強用ボタン
３  ボタン
４  衣類の生地
５  アンテナコイル
６  電子部品
７  糸および玉留
８  ボタン裏留め部品の引っ掛け部
９  ボタンの突起部
【図１】
2004329822.tif 000003
【図２】
2004329822.tif 000004
【図３】
2004329822.tif 000005
【図４】
2004329822.tif 000006